(57)【要約】  ビデオ・システム（１００）が、クロミナンス処理装置（２００）を備えている。クロミナンス処理装置は（２００）は、ビデオ情報の水平ラインに関連するバースト期間内の極性反転を検出して、前記検出された極性反転を補償する少なくとも１つの出力信号を生成するように動作するバースト累算器（２４０）を備えている。
2005512469.tif 000002
【特許請求の範囲】
【請求項１】
クロミナンス処理装置（２００）を備えるビデオ・システム（１００）であって、
前記クロミナンス処理装置（２００）が、
ビデオ情報の水平ラインに関連するバースト期間内の極性反転を検出して、前記検出された極性反転を補償する少なくとも１つの出力信号を生成するように動作するバースト累算器（２４０）を備える、ビデオ・システム（１００）。
【請求項２】
発振器（２５０）を備え、
前記バースト累算器（２４０）の前記少なくとも１つの出力信号が、前記発振器（２５０）を制御する、請求項１に記載のビデオ・システム（１００）。
【請求項３】
色制御回路（２６０）を備え、
前記バースト累算器（２４０）の前記少なくとも１つの出力信号が、前記色制御回路（２６０）を制御する、請求項１に記載のビデオ・システム（１００）。
【請求項４】
入力クロミナンス信号（Ｃｈｒｏｍａ）を増幅して利得調整済みクロミナンス信号を生成するように動作する増幅器（２１０）を備え、
前記色制御回路（２６０）が、前記増幅器（２１０）を制御するための制御信号を生成する、請求項３に記載のビデオ・システム（１００）。
【請求項５】
前記利得調整済みクロミナンス信号を処理して少なくとも１つの復調済みクロミナンス信号を生成するように動作するクロミナンス復調器（２２０）を備える、請求項４に記載のビデオ・システム（１００）。
【請求項６】
位相信号を生成するように動作する発振器（２５０）を備え、
前記バースト累算器（２４０）の前記少なくとも１つの出力信号が、前記発振器（２５０）を制御し、前記発振器（２５０）の前記位相信号が、前記クロミナンス復調器（２２０）を制御する、請求項５に記載のビデオ・システム（１００）。
【請求項７】
前記バースト累算器（２４０）が、少なくとも２つの値を生成するための複数の累算器（３０５、３１０）を備え、
前記少なくとも１つの出力信号が、前記少なくとも２つの値の符号を比較することに応答して生成される、請求項１に記載のビデオ・システム（１００）。
【請求項８】
ビデオ情報の水平ラインに関連するバースト期間内の極性反転を検出して、前記検出された極性反転を補償する少なくとも１つの出力信号を生成するためのバースト累算手段（２４０）を備える、クロミナンス処理装置（２００）。
【請求項９】
位相信号を生成するための発振手段（２５０）を備え、
前記バースト累算手段（２４０）の前記少なくとも１つの出力信号が、前記発振手段（２５０）を制御する、請求項８に記載のクロミナンス処理装置（２００）。
【請求項１０】
色制御動作を可能にするための色制御手段（２６０）を備え、
前記バースト累算手段（２４０）の前記少なくとも１つの出力信号が、前記色制御手段（２６０）を制御する、請求項８に記載のクロミナンス処理装置（２００）。
【請求項１１】
入力クロミナンス信号（Ｃｈｒｏｍａ）を増幅して利得調整済みクロミナンス信号を生成するための増幅手段（２１０）を備え、
前記色制御手段（２６０）が、前記増幅手段（２１０）を制御するための制御信号を生成する、請求項１０に記載のクロミナンス処理装置（２００）。
【請求項１２】
前記利得調整済みクロミナンス信号を処理して少なくとも１つの復調済みクロミナンス信号を生成するためのクロミナンス復調手段（２２０）を備える、請求項１１に記載のクロミナンス処理装置（２００）。
【請求項１３】
位相信号を生成するための発振手段（２５０）を備え、
前記バースト累算手段（２４０）の前記少なくとも１つの出力信号が、前記発振手段（２５０）を制御し、前記発振手段（２５０）の前記位相信号が、前記クロミナンス復調手段（２２０）を制御する、請求項１２に記載のクロミナンス処理装置（２００）。
【請求項１４】
前記バースト累算手段（２４０）が、少なくとも２つの値を生成するための複数の累算器（３０５、３１０）を備え、
前記少なくとも１つの出力信号が、前記少なくとも２つの値の符号を比較することに応答して生成される、請求項８に記載のクロミナンス処理装置（２００）。
【請求項１５】
ビデオ・システム（１００）中でクロミナンス信号を処理する方法であって、
前記クロミナンス信号から、ビデオ情報の水平ラインに関連するバースト期間内の極性反転を検出するステップと、
前記検出された極性反転を補償する少なくとも１つの出力信号を生成するステップとを含む方法。
【請求項１６】
前記少なくとも１つの出力信号が前記ビデオ・システム（１００）の発振器（２５０）を制御する、請求項１５に記載の方法。
【請求項１７】
前記少なくとも１つの出力信号が前記ビデオ・システム（１００）の色制御回路（２６０）を制御する、請求項１５に記載の方法。
【請求項１８】
入力クロミナンス信号（Ｃｈｒｏｍａ）を増幅して利得調整済みクロミナンス信号を生成するステップと、
前記色制御回路（２６０）を介して制御信号を生成し、前記入力クロミナンス信号（Ｃｈｒｏｍａ）の増幅を制御するステップとを含む、請求項１７に記載の方法。
【請求項１９】
前記利得調整済みクロミナンス信号を処理して少なくとも１つの復調済みクロミナンス信号を生成するステップを含む、請求項１８に記載の方法。
【請求項２０】
前記少なくとも１つの出力信号に応じて位相信号を生成するステップと、
前記位相信号に応じて前記利得調整済みクロミナンス信号の生成を制御するステップとを含む、請求項１９に記載の方法。
【発明の詳細な説明】
【技術分野】
【０００１】
本発明は、一般に、ビデオ・システムに関し、より詳細には、ビデオ・システムで使用するための、カラーストライプ符号化に対する耐性（ｉｍｍｕｎｉｔｙ：不感性）をとりわけ提供するクロミナンス処理装置に関する。
【背景技術】
【０００２】
得られるコピーの品質を劣化させることによりビデオ録画物の無断複製を防止するために、カラーストライプ符号化（ｃｏｌｏｒｓｔｒｉｐｅ  ｅｎｃｏｄｉｎｇ）などの技法が、しばしば利用される。カラーストライプ符号化は、正規のビデオ録画物の再生を劣化させることを意図したものではないが、通常はいくらかの画像劣化が生じる。カラーストライプ符号化ソフトウェアは、マクロビジョン社（Ｍａｃｒｏｖｉｓｉｏｎ）など各社から市販されている。
【０００３】
一般に、カラーストライプ符号化は、ビデオ情報の水平ラインに関連する色バースト（ｃｏｌｏｒｂｕｒｓｔ：カラー・バースト）（即ち、バースト）期間の一部の極性を反転させることを含んでいる。このような符号化を、ビデオ・フレームを構成する所定数の水平ラインに適用する。例えば、２０行毎のうち４行、１７行毎のうち２行などに、カラーストライプ符号化を適用する。カラーストライプ符号化の極性反転により、ビデオ・システムの自動色制御（ＡＣＣ：Ａｕｔｏｍａｔｉｃ  Ｃｏｌｏｒ  Ｃｏｎｔｒｏｌ）回路の利得（ゲイン）が変調され、それにより画面上に過飽和クロミナンスの水平ストライプ（横縞）が生じる。
【０００４】
カラーストライプ符号化に関連するアーティファクト（ａｒｔｉｆａｃｔ）を見えにくくするための従来の方法は、変調の振幅が減少するように自動色制御回路（ＡＣＣ）時定数を十分に大きくすることである。しかし、この方法は、アーティファクトを完全に除去するものではなく、単にそれらの振幅を減少させるだけなので、完全に満足の行く方法ではない。更に、この方法は、最適な信号捕捉処理にとって通常なら好まれる値よりも大きいＡＣＣ時定数を必要とする。
【０００５】
カラーストライプ符号化に関連するアーティファクトを見えにくくするための別の方法は、バースト置換技法を利用することである。一般に、バースト置換（ｂｕｒｓｔ  ｒｅｐｌａｃｅｍｅｎｔ）は、バースト・パケットを除去して、それを人為的に生成したバースト・パケットで置換することにより、カラーストライプ符号化をビデオ情報から取り去ることを含んでいる。しかし、バースト置換法は、理想的ではない。何故ならば、元のバースト・パケットを除去すると、そのバースト・パケット内の価値ある情報が失われ、それによりビデオ・システム内で動作上の問題が生じる恐れがあるからである。例えば、元のバースト・パケットを除去すると、クロミナンス同期の問題が生じることがある。
【０００６】
従って、前述の問題を回避し、それによりカラーストライプ符号化に対する耐性を改善させるクロミナンス処理装置および方法が必要とされている。本発明は、これらおよび他の課題を対象とする。
【発明の開示】
【０００７】
（発明の概要）
本発明によれば、ビデオ・システムが、クロミナンス処理装置を備えている。クロミナンス処理装置は、ビデオ情報の水平ラインに関連するバースト期間内の極性反転を検出して、検出された極性反転を補償する少なくとも１つの出力信号を生成する手段を備えている。
【０００８】
本発明の実施例に関する以下の説明を添付の図面と共に参照することにより、本発明に関する前述のおよび他の特徴、利点、並びにこれらを達成する方法がより明らかになり、本発明がよりよく理解されるであろう。
【０００９】
本明細書に述べる例示は、本発明の好ましい実施例を示すものであり、このような例示は、本発明の範囲を任意の態様において限定するものと考えるべきではない。
【発明を実施するための最良の形態】
【００１０】
ここで図面、特に図１を参照すると、本発明の原理によるクロミナンス処理装置２００を備える例示的なビデオ・システム１００の図が示されている。図１のビデオ・システム１００は、例えばテレビジョン信号受信機、セットトップ・ボックス（ＳＴＢ）、ビデオ・カセット・レコーダ（ＶＣＲ）、ディジタル多用途ディスク（ＤＶＤ）プレーヤ、ビデオ・ゲーム・ボックス（テレビ・ゲーム機）、パーソナル・ビデオ・レコーダ（ＰＶＲ）、または、ビデオ処理機能を備えるその他の任意のシステムとして具体化する。
【００１１】
図１で、ビデオ・システム１００は、変調済みクロミナンス副搬送波入力信号（Ｃｈｒｏｍａ：クロマ）を受け取って処理し、それによりベースバンド・クロミナンス信号（ＣｒおよびＣｂ）を生成して出力するための、クロミナンス処理装置２００を備えている。一実施例によれば、ＣｂおよびＣｒ信号は、テレビジョン信号受信機などのビデオ・システムやその他のシステムで使用される、Ｂ‐ＹおよびＲ‐Ｙ色差信号などの復調済みクロミナンス信号を表すものとする。クロミナンス処理装置２００は、例えば１つまたは複数の集積回路（ＩＣ）上に備わるものとする。図１には示していないが、ビデオ・システム１００は、他のＩＣや他の電気的および非電気的構成要素など、その他の構成要素を備えていてもよい。本明細書で説明するように、クロミナンス処理装置２００は、カラーストライプ符号化に対する耐性をビデオ・システム１００に与える。
【００１２】
図２を参照すると、図１のクロミナンス処理装置２００を更に詳細に例示する図が示されている。図２で、クロミナンス処理装置２００は、可変利得増幅器２１０、クロミナンス復調器２２０、フィルタ２３０、バースト累算器２４０、直交発振器２５０、ＡＣＣ検出器およびフィルタ２６０を備えている。
【００１３】
例示的な一動作モードによれば、増幅器２１０は、公称副搬送波周波数３．５８ＭＨｚの変調済みクロミナンス入力信号（Ｃｈｒｏｍａ）を受け取る。増幅器２１０は、変調済みクロミナンス入力信号の利得（例えば、振幅）を調整し、それにより利得調整済みクロミナンス信号を生成して出力する。クロミナンス復調器２２０は、利得調整済みクロミナンス信号を増幅器２１０から受け取り、一実施例によれば、直交発振器２５０から生成された直角位相正弦波信号を利得調整済みクロミナンス信号に掛け、それにより復調済みクロミナンス信号を生成して出力する。
【００１４】
フィルタ２３０は、クロミナンス復調器２２０により生成された復調済みクロミナンス信号に対して濾波動作（例えば、低域通過濾波（ローパス・フィルタ）動作）を実施し、それによりベースバンドＣｂ信号およびＣｒ信号を生成して出力する。上述したように、ベースバンドＣｂ信号およびＣｒ信号は、例えばテレビジョン信号受信機やその他のシステムで使用される、Ｂ‐ＹおよびＲ‐Ｙ色差信号などの復調済みクロミナンス信号を表すものとする。
【００１５】
バースト累算器２４０は、フィルタ２３０から出力されたベースバンドＣｂ信号およびＣｒ信号を受け取ってサンプリングし、それにより、各バースト期間毎の平均Ｃｂ振幅値およびＣｒ振幅値を表す出力信号を生成する。ビデオ情報の各水平ラインには、このようなバースト期間が１つ関連している。一実施例によれば、バースト累算器２４０は、バースト期間の間にベースバンドＣｂ信号およびＣｒ信号それぞれの振幅サンプルを３２個取り、これらの振幅サンプルを平均し、それによりこのバースト期間の平均Ｃｂ振幅値およびＣｒ振幅値を生成する。当然、本発明により別の数のサンプルを取ることもできる。バースト累算器２４０は、バースト期間の平均Ｃｂ振幅値およびＣｒ振幅値を表す出力信号を、直交発振器２５０およびＡＣＣ検出器およびフィルタ２６０に提供し、それにより、それぞれの動作を制御する。例えば、直交発振器２５０は、バースト累算器２４０からの出力信号を使用してその発振位相を制御し、それにより、クロミナンス復調器２２０に提供する正弦波信号の位相を制御する。一実施例によれば、ＡＣＣ検出器およびフィルタ２６０は、振幅検出および濾波回路を備え、バースト累算器２４０からの出力信号を使用して、増幅器２１０の振幅利得を制御する制御信号を生成して出力する。
【００１６】
図２で、カラーストライプ符号化が、バースト累算器２４０の出力信号にエラーを引き起こす。具体的には、バースト累算器２４０により生成された平均Ｃｂ振幅値は、カラーストライプ符号化処理により生じた極性反転によるエラーを特に被りやすい。例えば、ビデオ・システム１００が定常状態条件にあるとき（例えば、チャネル変更後などの信号捕捉状態の間ではないとき）、カラーストライプ符号化がない場合は、ベースバンドＣｂ信号は通常、バースト期間の間に一定振幅値、−４４８を呈するものとする。従って、このバースト期間の間は、平均Ｃｂ振幅値は、−４４８である。しかし、カラーストライプ符号化があるときは、バースト期間の一部が極性反転を受け、それにより平均Ｃｂ振幅値は変化する。例えば、バースト期間の４分の１にカラーストライプ符号化が適用された場合、このバースト期間の間に取られたサンプルの４分の１は反転極性を有する。即ち、１バースト期間あたりのサンプル数を３２個とし、通常平均Ｃｂ振幅値を−４４８とすると、カラーストライプ符号化があるバースト期間の平均Ｃｂ振幅値は、以下のとおりである。
［（８）（４４８）＋（２４）（−４４８）］／［３２］＝−２２４
上式に示すように、カラーストライプ符号化がバースト期間の４分の１に適用されたとき、このバースト期間の間に取られたサンプルの４分の１（即ち、３２個のうち８個）は反転極性を有し、従って、平均Ｃｂ振幅値は、通常値、−４４８とは違ってくる。
【００１７】
一実施例によれば、ビデオ・システム１００が定常状態条件にあるとき、ベースバンドＣｒ信号は通常、バースト期間の間に一定振幅値０（ゼロ）を呈するものとする。従って、０の反転は０なので、ビデオ・システム１００が、定常状態条件にある間、平均Ｃｒ振幅値は、カラーストライプ符号化により生じた極性反転によるエラーを被りやすいことは特にない。しかし、平均Ｃｒ振幅値は、チャネル変更後などの信号捕捉状態の間は、一般に０ではない。このため、ビデオ・システム１００が、信号捕捉状態のときは、平均Ｃｒ振幅値も同様に、カラーストライプ符号化により生じた極性反転によるエラーを被りやすい。
【００１８】
バースト累算器２４０の出力信号中のエラーは、単純に、自動色制御（ＡＣＣ）検出器およびフィルタ２６０中の時定数を増加させ、それによりエラーを平滑化して目立た無くすることにより対処することもできる。しかし、比較的大きな時定数を使用しても、ある種のビデオ素材では、依然としていくらかのアーティファクトが見える。完全な平滑化を行っても、望ましい量には満たないクロミナンス過飽和（例えば、１３％まで）が生じる場合もある。本明細書で説明するように、本発明は、ＡＣＣ検出器およびフィルタ２６０による濾波の前に、バースト累算器２４０の出力信号中でカラーストライプ符号化に起因するエラー振幅を相殺することにより、これらの問題に対処する。
【００１９】
次に、図３を参照すると、図２のバースト累算器２４０を更に詳細に例示する図が示されている。図３に示すように、バースト累算器２４０は、ベースバンドＣｂ信号を処理するための構成要素と、ベースバンドＣｒ信号を処理するための構成要素を備えている。具体的には、ベースバンドＣｂ信号を処理するための構成要素には、累算器３０５および３１０、符号比較器３１５、乗算器３２０、マルチプレクサ３２５、減算器３３０が含まれる。ベースバンドＣｒ信号を処理するための構成要素には、累算器３３５および３４０、乗算器３４５、マルチプレクサ３５０、減算器３５５が含まれる。
【００２０】
例示的な一動作モードによれば、累算器３０５および３１０は、それぞれ作動化バースト・ゲート（ＢＧ：Ｂｕｒｓｔ  Ｇａｔｅ）信号ＢＧ１およびＢＧ２に従って、ベースバンドＣｂ信号を受け取ってサンプリングし、それにより累算Ｃｂ振幅値を生成する。具体的には、バースト・ゲート（ＢＧ１）信号およびバースト・ゲート（ＢＧ２）信号が活動化され、各信号は、累算器３０５および３１０を作動化して、ベースバンドＣｂ信号をサンプリングさせ累算Ｃｂ振幅値を生成させる。ＢＧ１信号およびＢＧ２信号は、例えば、ビデオ・システム１００の処理回路またはその他の装置（図示せず）により生成する。
【００２１】
一実施例によれば、バースト・ゲート（ＢＧ１）信号は、通常約１．７８ミリ秒であるバースト期間の持続時間に等しいかまたはほぼ等しいパルス幅持続時間を有する。例えば、ＢＧ１信号のパルス幅持続時間は、バースト期間の持続時間よりもやや長いか、やや短い。更に、ＢＧ１信号は、各バースト期間と一致するようにアクティブ化される。このようにして、アクティブ化されたＢＧ１信号は、各バースト期間の間に、累算器３０５を作動化して、ベースバンドＣｂ信号をサンプリングさせ累算Ｃｂ振幅値を生成させる。
【００２２】
一実施例によれば、バースト・ゲート（ＢＧ２）信号は、バースト期間の持続時間よりも短いパルス幅持続時間を有する。例えば、ＢＧ２信号のパルス幅持続時間は、バースト期間の持続時間の４分の１、またはその他の何らかの分数部分に等しい。具体的には、ＢＧ２信号のパルス幅持続時間は、カラーストライプ符号化があると予想されるバースト期間部分に対応することが好ましい。従って、バースト期間の最初の４分の１の間にカラーストライプ符号化がある場合、ＢＧ２信号は、バースト期間の持続時間の４分の１に等しいパルス幅持続時間を有する。更に、ＢＧ２信号は、カラーストライプ符号化があるこのバースト期間部分の間にアクティブ化される。このようにして、アクティブ化されたＢＧ２信号は、各バースト期間のうちでカラーストライプ符号化があると予想される部分の間に、累算器３１０を作動化して、ベースバンドＣｂ信号をサンプリングさせ累算Ｃｂ振幅値を生成させる。
【００２３】
符号比較器３１５は、累算器３０５および３１０により生成された累算Ｃｂ振幅値を受け取り、これらに対して符号比較演算を行う。具体的には、符号比較器３１５は、累算器３０５により生成された累算Ｃｂ振幅値の符号が、累算器３１０により生成された累算Ｃｂ振幅値の符号と同じかどうかを決定する。即ち、符号比較器３１５は、累算Ｃｂ振幅値が両方とも正（＋）または両方とも負（−）かどうかを決定する。累算Ｃｂ振幅値が異なる場合（即ち、一方が正で他方が負である場合）、符号比較器３１５は、マルチプレクサ３２５の切換え状態を制御する所定の論理状態の切換え（ＳＷ）信号を生成する。後述するように、累算Ｃｂ振幅値は、所定のバースト期間内にカラーストライプ符号化があるときは異なる符号を有し、所定のバースト期間内にカラーストライプ符号化がないときは同じ符号を有する。
【００２４】
乗算器３２０は、累算器３１０により生成された累算Ｃｂ振幅値を受け取り、これに所定の値を掛けて乗算値を生成する。更に、乗算器３２０は、乗算値を表す出力信号を生成する。一実施例によれば、乗算器３２０が利用する所定の値は２である。後で例示するが、この値２で、どんなエラーも相殺し補正する。
【００２５】
マルチプレクサ３２５は、乗算器３２０により生成された出力信号を受け取り、また、値０（ゼロ）の入力信号も受け取る。このマルチプレクサ３２５への入力信号は、例えば、ビデオ・システム１００の処理回路やその他の装置（図示せず）により生成する。マルチプレクサ３２５は、符号比較器３１５により生成されたＳＷ信号に応じて切り換わり、乗算器３２０の出力信号と、値０の入力信号とのどちらかを選択的に出力する。一実施例によれば、マルチプレクサ３２５は、ＳＷ信号が一方の論理状態（例えば、論理ハイ（高））のときは、乗算器３２０の出力信号を出力し、ＳＷ信号が他方の論理状態（例えば、論理ロー（低））のときは、値０の入力信号を出力する。
【００２６】
減算器３３０は、累算器３０５により生成された累算Ｃｂ振幅値を受け取り、この値からマルチプレクサ３２５の出力で表される値を引いて、バースト信号（Ｂｕｒｓｔ  Ｃｂ）を生成する。このようにして減算器３３０は、累算器３０５の累算Ｃｂ振幅値から、値０と乗算器３２０の乗算値とのどちらかを引く。後述するように、減算器３３０は、所定のバースト期間内にカラーストライプ符号化があるときは、累算器３０５の累算Ｃｂ振幅値から乗算器３２０の乗算値を引く。反対に、所定のバースト期間内にカラーストライプ符号化がないときは、累算器３０５の累算Ｃｂ振幅値から値０を引く。次いで、減算器３３０により生成されたバースト信号は正規化され（図３に示されていない回路により）、所定のバースト期間の平均Ｃｂ振幅値を表すバースト累算器２４０の出力信号が生成される。例えば、この平均Ｃｂ振幅値は、バースト信号で表される値を、バースト期間内に取られたサンプル数で割ることにより生成する。
【００２７】
バースト累算器２４０の、ベースバンドＣｒ信号を処理するための構成要素は、ベースバンドＣｂ信号を処理するための幾つかの構成要素とほぼ同一の構造および機能を有する。具体的には、累算器３３５および３４０は、それぞれ累算器３０５および３１０とほぼ同一である。更に、乗算器３４５は乗算器３２０とほぼ同一であり、マルチプレクサ３５０はマルチプレクサ３２５とほぼ同一であり、減算器３５５は減算器３３０とほぼ同一である。従って説明をわかりやすくするために、これら同一の構成要素については、適切な場合を除き再度説明しない。ただし、バースト累算器２４０の、ベースバンドＣｒ信号を処理するための構成要素には、符号比較器は含まれないことに留意されたい。何故ならば、符号比較器３１５により生成されるＳＷ信号が、マルチプレクサ３５０の切換え状態を制御するのに使用されるからである。
【００２８】
本発明をよりよく理解できるように、次に図３を参照しながら、バースト累算器２４０をより詳細に説明する。具体的には、以下の説明で述べる例示的な動作では、バースト累算器２４０が、ビデオ情報の水平ラインに関連するバースト期間内でカラーストライプ符号化を検出し、このような符号化をその出力信号中で補償して、ビデオ・システム１００におけるクロミナンス処理の改善をもたらす。以下の説明は一例にすぎず、本発明をどんな方法でも限定するものではない。以下の例では、（ｉ）カラーストライプ符号化が、バースト期間の最初の４分の１にあり、（ｉｉ）通常は、バースト期間の間に、３２個のサンプルが取られると仮定する。
【００２９】
累算器３０５および３１０は、それぞれ作動化バースト・ゲート（ＢＧ１）信号およびバースト・ゲート（ＢＧ２）信号に従って、ベースバンドＣｂ信号を受け取ってサンプリングし、それにより累算Ｃｂ振幅値を生成する。従って、累算器３０５は、バースト期間全体（または少なくともバースト期間のほとんど）の累算Ｃｂ振幅値を生成し、累算器３１０は、バースト期間のうちカラーストライプ符号化があると予想される部分（即ち、バースト期間の最初の４分の１）の累算Ｃｂ振幅値を生成する。このようにして、累算器３０５は、ベースバンドＣｂ信号のサンプルを３２個取り、累算器３１０は、ベースバンドＣｂ信号のサンプルを８個取る。バースト期間の最初の４分の１にカラーストライプ符号化があるので、累算器３０５により取られた最初の８個のサンプルと、累算器３１０により取られた全ての８個のサンプルは、反転極性を有する。
【００３０】
通常のベースバンドＣｂ値を−４４８とすると、累算器３０５により生成される累算Ｃｂ振幅値は以下のとおりである。
（８）（４４８）＋（２４）（−４４８）＝−７１６８
カラーストライプ符号化がない場合は、累算器３０５により生成される累算Ｃｂ振幅値は、以下のようになることに留意されたい。
（３２）（−４４８）＝−１４３３６
累算器３１０により生成される累算Ｃｂ振幅値は、以下のとおりである。
（８）（４４８）＝３５８４
累算器３０５および３１０により生成された累算Ｃｂ振幅値（即ち、−７１６８および３５８４）は、符号比較器３１５に供給され、符号比較器３１５は、２つの値の符号を比較して、これらが異なると決定する。この符号の違いの結果、符号比較器３１５は、ＳＷ信号を生成する。
【００３１】
累算器３１０により生成された累算Ｃｂ振幅値は、乗算器３２０にも提供され、乗算器３２０は、累算Ｃｂ振幅値に２を掛けて、以下の値を有する出力信号を生成する。
（２）（３５８４）＝７１６８
【００３２】
マルチプレクサ３２５は、乗算器３２０により生成された出力信号を受け取り、符号比較器３１５により生成されたＳＷ信号に応答して切り換わって、乗算器３２０の出力信号を減算器３３０に渡す。減算器３３０は、累算器３０５により生成された累算Ｃｂ振幅値（即ち、−７１６８）を受け取り、この値からマルチプレクサ３２５の出力で表される値を引いて、それにより以下の値を有するバースト信号（Ｂｕｒｓｔ  Ｃｂ）を生成する。
（−７１６８）−（７１６８）＝−１４３３６
この値、−１４３３６は、カラーストライプ符号化がなかった場合に累算器３０５が生成したであろう値と同じであることに留意されたい。次いで、減算器３３０により生成されたバースト信号は正規化され（図３に示されていない回路により）、所定のバースト期間の平均Ｃｂ振幅値を表すバースト累算器２４０の出力信号が生成される。具体的には、バースト期間の平均Ｃｂ振幅値は、以下のとおりである。
（−１４３３６）／（３２）＝−４４８
【００３３】
ベースバンドＣｒ信号も、前述のようにベースバンドＣｂ信号と同様にして処理され、バースト信号（Ｂｕｒｓｔ  Ｃｒ）が生成される。このバースト信号も同様に正規化され（図３に示されていない回路により）、所定のバースト期間の平均Ｃｒ振幅値を表すバースト累算器２４０の出力信号が生成される。先に示したように、ビデオ・システム１００が定常状態条件にあるとき、ベースバンドＣｒ信号は通常、バースト期間の間に一定振幅値０を呈するものとする。従って、０の反転は０なので、ビデオ・システム１００が定常状態条件にある間、平均Ｃｒ振幅値は、カラーストライプ符号化により生じた極性反転によるエラーを被りやすいことは特にない。しかし、平均Ｃｒ振幅値は、チャネル変更後などの信号捕捉状態の間は、一般に０ではない。このため、ビデオ・システム１００が信号捕捉状態のときは、平均Ｃｒ振幅値はカラーストライプ符号化よるエラーを被りやすく、このようなエラーは、図３に示すバースト累算器２４０のＣｒ信号処理装置要素により補正される。
【００３４】
図４を参照すると、本発明を実施するための例示的なステップを要約したフローチャート（流れ図）４００が示されている。例示および説明のために、図４のステップは、図３のクロミナンス処理装置２００に関して述べる。図４のステップは例示にすぎず、本発明をどんな方法でも限定するものではないことに留意されたい。
【００３５】
図４で、処理の流れは、ステップ４０１で開始し、バースト累算器２４０は、フィルタ２３０から生成されたベースバンドＣｂ信号やＣｒ信号など、１つまたは複数の復調済みクロミナンス信号を受け取る。ステップ４０２で、バースト累算器２４０は、１つまたは複数の復調済みクロミナンス信号を処理して、ビデオ情報の水平ラインに関連するバースト期間内で極性反転を検出する。先に示したように、検出された極性反転は、所定のライン内にカラーストライプ符号化があることを示す。次に、ステップ４０３で、バースト累算器２４０は、ステップ４０２で検出された極性反転を補償する１つまたは複数の出力信号を生成する。前述のように、バースト累算器２４０は、極性反転により生じたその出力信号中のエラーを相殺することによりこのような補償を行う。次いで、ステップ４０４で、バースト累算器２４０からの１つまたは複数の出力信号を使用して、クロミナンス処理を制御する。例えば、直交発振器２５０は、バースト累算器２４０からの１つまたは複数の出力信号を使用してその発振位相を制御し、それにより、クロミナンス復調器２２０に提供する正弦波信号の位相を制御する。更に、自動色制御（ＡＣＣ）検出器およびフィルタ２６０は、バースト累算器２４０からの１つまたは複数の出力信号を使用して、増幅器２１０の振幅利得を制御する制御信号を生成して出力する。
【００３６】
本明細書に述べたように、本発明は有利にも、ビデオ・システム中でアーティファクトのない復調済みクロミナンス信号を提供することができる。本明細書に述べた本発明は、表示装置付きまたは表示装置なしの様々なビデオ・システムに特に適用可能である。従って、本明細書で使用するビデオ・システムという語句は、様々なタイプのシステムまたは装置を含むものとし、限定しないがこれらには、テレビジョン・セットや、表示装置を含めたモニターや、セットトップ・ボックス（ＳＴＢ）、ビデオ・カセット・レコーダ（ＶＣＲ）、ＤＶＤプレーヤ、ビデオ・ゲーム・ボックス（テレビ・ゲーム機）、パーソナル・ビデオ・レコーダ（ＰＶＲ）などのシステムまたは装置や、表示装置を備えない場合のあるその他のビデオ・システムが含まれる。
【００３７】
本発明を好ましい設計を有するものとして述べたが、本発明は、本開示の趣旨および範囲の内で更に変更することもできる。例えば、本発明の好ましい一実施例ではバースト累算器を使用してバースト期間内の極性反転を検出し、補償出力信号を生成しているが、バースト累算器以外の装置を使用してこれらの機能を実施してもよいことは、当業者なら直感的に分かるであろう。従って、本出願は、本発明の一般原理を用いるものなら本発明のどんな変形、使用、または適合もカバーするものとする。更に本出願は、本発明が関係しており特許請求の範囲に含まれる、当技術分野における周知のまたは慣例の実施の範囲内で、本開示からの逸脱もカバーするものとする。
【図面の簡単な説明】
【００３８】
【図１】本発明の原理によるクロミナンス処理装置を備える例示的なビデオ・システムの図である。
【図２】図１のクロミナンス処理装置を更に詳細に例示する図である。
【図３】図２のバースト累算器を更に詳細に例示する図である。
【図４】本発明を実施するための例示的なステップを要約したフローチャートである。
【図１】
2005512469.tif 000003
【図２】
2005512469.tif 000004
【図３】
2005512469.tif 000005
【図４】
2005512469.tif 000006
【国際調査報告】
2005512469.tif 000007